(57)【要約】  【課題】  被写体を撮影するタイミングの決定方法を多様化すること。  【解決手段】  間欠的にカメラ１のレンズの位置を制御して、被写体の像焦点を感光面に合わせるオートフォーカス部３２と、第１時刻に合った第１位置とオートフォーカス部３２が第１時刻の次に像焦点を合わせる第２時刻に合った第２位置とを比較する焦点比較部３４と、第１位置と第２位置とが一致するときに、カメラ１を用いて被写体の画像を撮影する撮影部３７とを備えている。このとき、カメラ１は、移動する途中の被写体を撮影しないで、静止した被写体をより確実に撮影することができ、好ましい。  【選択図】  図３
2006017823.tif 000002
【特許請求の範囲】
【請求項１】
間欠的にカメラのレンズの位置を制御して、被写体の像焦点を感光面に合わせるオートフォーカス部と、
前記位置のうちの第１時刻に合う第１位置と前記位置のうちの前記オートフォーカス部が前記第１時刻の次に像焦点を合わせる第２時刻に合う第２位置とを比較する焦点比較部と、
前記第１位置と前記第２位置とが一致するときに、前記カメラを用いて前記被写体の画像を撮影する撮影部
とを具備するカメラ。
【請求項２】
請求項１において、
間欠的に前記被写体の仮画像を撮影する仮撮影部と、
前記仮画像のうちの前記第１時刻に撮影された第１仮画像と前記仮画像のうちの前記第２時刻に撮影された第２仮画像とを比較する仮画像比較部とを更に具備し、
前記撮影部は、前記第１位置と前記第２位置とが一致し、かつ、前記第１仮画像と前記第２仮画像とが一致するときに、前記カメラを用いて前記画像を撮影する
カメラ。
【請求項３】
請求項２において、
前記仮画像は、前記画像より前記被写体を写す範囲が小さい
カメラ。
【請求項４】
請求項２または請求項３のいずれかにおいて、
前記仮画像は、前記画像より解像度が粗い
カメラ。
【請求項５】
請求項１〜請求項４のいずれかにおいて、
前記位置がＬ回以上繰り返して一致しないときに、Ｌ回目に前記位置が一致しない時刻から所定の時間だけ経過したシャッター時刻を計測するタイマ部を更に具備し、
前記撮影部は、前記位置がＬ回以上繰り返して一致しないときに、前記シャッター時刻に前記カメラを用いて前記被写体の画像を撮影する
カメラ。
【請求項６】
請求項１〜請求項５のいずれかに記載されるカメラと、
無線を利用して通信を行う携帯電話機本体
とを具備する携帯電話機。
【請求項７】
間欠的にカメラのレンズの位置を制御して、被写体の像焦点を感光面に合わせるステップと、
前記位置のうちの第１時刻に合った第１位置と前記位置のうちの前記第１時刻の次に像焦点を合う第２時刻に合った第２位置とを比較するステップと、
前記第１位置と前記第２位置とが一致するときに、前記カメラを用いて前記被写体の画像を撮影するステップ
とを具備する撮影方法。
【請求項８】
請求項７において、
前記間欠的に前記被写体の仮画像を撮影するステップと、
前記仮画像のうちの前記第１時刻に撮影された第１仮画像と前記仮画像のうちの前記第２時刻に撮影された第２仮画像とを比較するステップとを更に具備し、
前記画像は、前記第１位置と前記第２位置とが一致し、かつ、前記第１仮画像と前記第２仮画像とが一致するときに、前記カメラを用いて撮影される
撮影方法。
【請求項９】
請求項８において、
前記仮画像は、前記画像より前記被写体を写す範囲が小さい
撮影方法。
【請求項１０】
請求項８または請求項９のいずれかにおいて、
前記仮画像は、前記画像より解像度が粗い
撮影方法。
【請求項１１】
請求項７〜請求項１０のいずれかにおいて、
前記位置がＬ回以上繰り返して一致しないときに、Ｌ回目に前記位置が一致しない時刻から所定の時間だけ経過したシャッター時刻を計測するステップと、
前記位置がＬ回以上繰り返して一致しないときに、前記シャッター時刻に前記カメラを用いて前記画像を撮影するステップ
とを更に具備する撮影方法。
【発明の詳細な説明】
【技術分野】
【０００１】
本発明は、カメラ及び携帯電話機に関し、特に、遠隔操作により被写体の画像を撮影するカメラ及び携帯電話機に関する。
【背景技術】
【０００２】
遠隔操作により被写体の画像を撮影する撮影方法が知られている。その撮影方法としては、セルフタイマーを使用する方法とリモコンを使用する方法が例示される。セルフタイマーを使用する方法では、ユーザのメニュー操作により３／５／１０秒など待機時間を設定する機能があるものが知られている。その設定は、操作が面倒であることに加え、セルフタイマー開始後にシャッターを切るタイミングをユーザの都合で変更することができないため不便である。リモコンを使用する方法では、カメラと被写体の距離に制限があり遠く離れたところには向かない上、別途リモコンを持ち歩かなければならなく、そのカメラの製造コストが増加する。
【０００３】
カメラを備えるカメラ付き携帯電話機が知られている。このような携帯電話機は、誰もいないところで自分撮りをするという状況があり、遠隔操作により適切なタイミングで画像を撮影することが望まれている。
【０００４】
特開平０８−２７９９５４号公報には、簡単且つ正確に焦点及び露出を合わせることができるようにして常に所望の画像を得ることができる撮像装置が開示されている。その撮像装置によれば、セルフ撮像モードを選択した後、撮影者の意図する方向にカメラの向きを変更してフレームを固定し、第１のスイッチをオンにしてタイマをスタートさせ撮影者はフレーム内に収まる位置に移動する。次に、例えば撮影者が被写体のフレーム内部に入ったときから１フレーム毎の画像信号をメモリに記憶してフレーム毎の相関をとり、動きベクトルを算出し、被写体が静止する動きベクトルの収束領域を抽出する。次いで、この領域を中心に自動露出と自動合焦を行い、露出の設定及び合焦が終了した後、第２のスイッチがオンされ自動撮影が行われる。最後にこのときの画像信号は直接或いは圧縮されて記録媒体に記録され、処理が終了する。
【０００５】
特開２００１−１８３７３５号公報には、シャッタ・レリーズ・ボタンを押すことなく、被写体像を表す画像データをメモリ・カードに記録する撮像装置および方法が開示されている。その撮像装置および方法は、ユーザの視線の動きを検出する。ユーザの視線が一定時間以上停止していると、シャッタ・レリーズ動作が行われる。シャッタ・レリーズにより得られた被写体象を表す画像データがメモリ・カードに記録される。
【０００６】
特開２００２−３３０３３５号公報には、連続する静止画像のぶれ量を検出する手段を有する静止画像撮像装置において、高価な画像メモリを使用することなく、静止画像の画質を損なわずにぶれの少ない静止画像を得ることができる静止画像撮像装置が開示されている。その静止画像撮像装置は、静止画像を撮像する際に連続する静止画像のぶれ量を検出する動き検出部と、動き検出部により検出されたぶれ量に応じて撮像部の撮像素子の望ましいシャッタースピードを算出するシャッタースピード算出部と、シャッタースピード算出部の算出結果に基づいて撮像部の撮像素子のシャッタースピードを制御するシャッタースピード制御手段とを備えている。
【０００７】
【特許文献１】特開平０８−２７９９５４号公報
【特許文献２】特開２００１−１８３７３５号公報
【特許文献３】特開２００２−３３０３３５号公報
【発明の開示】
【発明が解決しようとする課題】
【０００８】
本発明の課題は、被写体を撮影するタイミングの決定方法を多様化するカメラ及び携帯電話機を提供することにある。
【課題を解決するための手段】
【０００９】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【００１０】
本発明によるカメラ（１）は、間欠的にカメラのレンズの位置を制御して、被写体の像焦点を感光面に合わせるオートフォーカス部（３２）と、第１時刻に合った第１位置とオートフォーカス部（３２）が第１時刻の次に像焦点を合わせる第２時刻に合った第２位置とを比較する焦点比較部（３４）と、第１位置と第２位置とが一致するときに、カメラを用いて被写体の画像を撮影する撮影部（３７）とを備えている。このとき、カメラ（１）は、移動する途中の被写体を撮影しないで、静止した被写体をより確実に撮影することができ、好ましい。
【００１１】
本発明によるカメラ（１）は、間欠的に被写体の仮画像を撮影する仮撮影部（３３）と、仮画像のうちの第１時刻に撮影された第１仮画像と仮画像のうちの第２時刻に撮影された第２仮画像とを比較する仮画像比較部（３５）とを更に備えている。このとき、撮影部（３７）は、第１位置と第２位置とが一致し、かつ、第１仮画像と第２仮画像とが一致するときに、カメラを用いて画像を撮影する。このとき、カメラ（１）は、動いている被写体を撮影しないで、静止した被写体をより確実に撮影することができ、好ましい。
【００１２】
その仮画像は、その画像より被写体を写す範囲が小さい。このとき、情報量が小さく、第１仮画像と第２仮画像とを比較する画像処理にかかる負担が小さく、好ましい。その仮画像は、その画像より解像度が粗い。情報量が小さく、第１仮画像と第２仮画像とを比較する画像処理にかかる負担が小さく、好ましい。
【００１３】
本発明によるカメラ（１）は、レンズの位置がＬ回以上繰り返して一致しないときに、Ｌ回目に位置が一致しない時刻から所定の時間だけ経過したシャッター時刻を計測するタイマ部（３６）を更に備えている。撮影部（３７）は、レンズの位置がＬ回以上繰り返して一致しないときに、シャッター時刻にカメラを用いて被写体の画像を撮影することが好ましい。
【００１４】
本発明による携帯電話機（２）は、本発明によるカメラ（１）と、無線を利用して通信を行う携帯電話機本体とを備えていることが好ましい。
【００１５】
本発明による撮影方法は、間欠的にカメラ（１）のレンズの位置を制御して、被写体の像焦点を感光面に合わせるステップ（Ｓ２、Ｓ４）と、第１時刻に合った第１位置と第１時刻の次に像焦点を合わせる第２時刻に合った第２位置とを比較するステップ（Ｓ５）と、第１位置と第２位置とが一致するときに、カメラ（１）を用いて被写体の画像を撮影するステップ（Ｓ１０）とを備えている。このとき、カメラ（１）は、移動する途中の被写体を撮影しないで、静止した被写体をより確実に撮影することができ、好ましい。
【００１６】
本発明による撮影方法は、間欠的に被写体の仮画像を撮影するステップ（Ｓ２、Ｓ４）と、仮画像のうちの第１時刻に撮影された第１仮画像と仮画像のうちの第２時刻に撮影された第２仮画像とを比較するステップ（Ｓ５）とを更に備えている。画像は、第１位置と第２位置とが一致し、かつ、第１仮画像と第２仮画像とが一致するときに、カメラを用いて撮影される。このとき、カメラ（１）は、動いている被写体を撮影しないで、静止した被写体をより確実に撮影することができ、好ましい。
【００１７】
その仮画像は、その画像より被写体を写す範囲が小さい。このとき、情報量が小さく、第１仮画像と第２仮画像とを比較する画像処理にかかる負担が小さく、好ましい。その仮画像は、その画像より解像度が粗い。情報量が小さく、第１仮画像と第２仮画像とを比較する画像処理にかかる負担が小さく、好ましい。
【００１８】
本発明による撮影方法は、レンズの位置がＬ回以上繰り返して一致しないときに、Ｌ回目に位置が一致しない時刻から所定の時間だけ経過したシャッター時刻を計測するステップ（Ｓ８、Ｓ９）と、レンズの位置がＬ回以上繰り返して一致しないときに、シャッター時刻にカメラを用いて画像を撮影するステップ（Ｓ１０）とを更に備えていることが好ましい。。
【発明の効果】
【００１９】
本発明によるカメラ及び携帯電話機によれば、被写体を撮影するタイミングの決定方法を多様化することができる。
【発明を実施するための最良の形態】
【００２０】
図面を参照して、本発明によるカメラの実施の形態を記載する。そのカメラ１は、図１に示されているように、携帯電話機２に適用されている。携帯電話機２は、ディスプレイ側筐体３とキーボード側筐体４とを備えている。ディスプレイ側筐体３は、キーボード側筐体４と折り畳み可能に接続されている。ディスプレイ側筐体３は、折り畳まれたときにキーボード側筐体４に対向する面にディスプレイ５が設けられている。キーボード側筐体４は、折り畳まれたときにディスプレイ側筐体３に対向する面にキーボード６が設けられている。ディスプレイ側筐体３は、折り畳まれたときにキーボード側筐体４に対向する面にディスプレイ５が設けられている。カメラ１は、ディスプレイ側筐体３のディスプレイ５が設けられている面の反対側の面に設けられている。
【００２１】
携帯電話機２は、情報処理装置（コンピュータ）であり、図２に示されているように、カメラ１とディスプレイ５とキーボード６と無線部１１とベースバンド部１２と音声処理部１３とスピーカ１４とバイブレータ１５とＣＰＵ１６とメモリ１７とを備えている。ＣＰＵ１６は、インストールされるコンピュータプログラムを実行して、カメラ１とディスプレイ５とキーボード６と無線部１１とベースバンド部１２と音声処理部１３とスピーカ１４とバイブレータ１５とメモリ１７とを制御する。
【００２２】
カメラ１は、図示されていないレンズとＣＣＤと駆動装置とを備えている。その駆動装置は、ＣＰＵ１６により制御されて、そのレンズの位置を移動させる。そのレンズは、カメラ１に対向する被写体の像焦点をそのＣＣＤの感光面上に合致させる。そのＣＣＤは、感光面上に結ばれた像を電気信号に変換する。このとき、そのレンズの位置は、カメラ１と被写体との距離の関数である。カメラ１は、ＣＰＵ１６に指示されたタイミングに、そのレンズの位置とＣＣＤの感光面上に結ばれた画像とをＣＰＵ１６に出力する。
【００２３】
ディスプレイ５は、ＣＰＵ１６により生成された画面を表示面に表示する。キーボード６は、ユーザにより操作されて、その操作内容が示す情報をＣＰＵ１６に出力する。スピーカ１４は、ＣＰＵ１６により生成された音声を発生する。バイブレータ１５は、ＣＰＵ１６により制御されて携帯電話機２を振動させる。
【００２４】
無線部１１は、アンテナを備え、ベースバンド部１２により生成されたベースバンド信号に基づいて電波をそのアンテナから出力し、そのアンテナにより受信した電波に基づいて生成された信号をベースバンド部１２に出力する。ベースバンド部１２は、ＣＰＵ１６により制御され、無線部１１により生成された信号をベースバンド処理して生成されるベースバンド信号を音声処理部１３に出力し、音声処理部１３により生成された信号をベースバンド処理して生成されるベースバンド信号を無線部１１に出力する。音声処理部１３は、ＣＰＵ１６により制御され、ＣＰＵ１６により生成された音声データを示す信号をベースバンド部１２に出力し、ベースバンド部１２により生成されたベースバンド信号に基づいて生成される音声データをＣＰＵ１６に出力する。すなわち、携帯電話機２は、無線部１１とベースバンド部１２と音声処理部１３とを用いて、無線を利用して場所が固定されない端末間の通信を行う携帯電話サービスに利用される。
【００２５】
メモリ１７は、ＣＰＵ１６により制御され、ＣＰＵ１６により生成された情報を記録し、ＣＰＵ１６により要求された情報をＣＰＵ１６に出力する。メモリ１７は、ＣＰＵ１６により生成された第１画像２１と第２画像２２と第３画像２３とを記録し、インストールされているコンピュータプログラム２４を記録している。すなわち、メモリ１７は、第１画像２１を記録する領域と第２画像２２を記録する領域と第３画像２３を記録する領域とコンピュータプログラム２４を記録する領域とを備えている。携帯電話機２は、ユーザの操作により、第３画像２３としてメモリ１７に記録された画像をディスプレイ５に表示し、または、外部機器に伝送されることができる。
【００２６】
図３は、コンピュータプログラム２４を示している。コンピュータプログラム２４は、設定部３１とオートフォーカス部３２と仮撮影部３３と焦点比較部３４と仮画像比較部３５とタイマ部３６と撮影部３７とを備えている。
【００２７】
設定部３１は、オートフォーカス部３２と仮撮影部３３とが実行される周期を示す時間Ｎ秒をキーボード６から収集する。設定部３１は、さらに、オートフォーカス部３２と仮撮影部３３により実行される動作を繰り返す回数Ｌ回とその動作がＬ回繰り返された後に計測される時間Ｍ秒とをキーボード６から収集する。
【００２８】
オートフォーカス部３２は、間欠的にＮ秒毎に、カメラ１に対向する被写体の像焦点がＣＣＤの感光面上に合致するように、駆動装置を用いてレンズを駆動する。仮撮影部３３は、カメラ１を用いてその被写体のファインダー画像を撮影し、そのファインダー画像をディスプレイ５に表示する。そのファインダー画像は、カメラ１の撮影範囲を確認するために利用される。仮撮影部３３は、間欠的にＮ秒毎に、すなわち、像焦点がＣＣＤの感光面上に合致する度に、そのＣＣＤの感光面上に結ばれたファインダー画像をカメラ１から収集し、そのファインダー画像の中央に配置される一部分をメモリ１７に記録する。
【００２９】
焦点比較部３４は、間欠的にＮ秒毎に、すなわち、像焦点がＣＣＤの感光面上に合致する度に、レンズの位置をカメラ１から収集し、今回に収集されたレンズの位置と前回に（Ｎ秒前に）収集されたレンズの位置とを比較する。仮画像比較部３５は、仮撮影部３３により撮影された画像をメモリ１７から収集し、今回に撮影された画像と前回に（Ｎ秒前に）撮影された画像とを比較する。
【００３０】
タイマ部３６は、焦点比較部３４によりレンズの位置が一致しないことがＬ回繰り返して検出されたときに、その検出された時刻からＭ秒経過した時刻を計測する。
【００３１】
撮影部３７は、前回のレンズの位置と今回のレンズの位置とが一致し、かつ、前回に撮影された画像と今回に撮影された画像とが一致するときに、被写体を撮影してメモリ１７に記録する。撮影部３７は、さらに、タイマ部３６により時刻が計測されたときに、被写体を撮影してメモリ１７に記録する。このとき、撮影部３７により撮影される画像は、仮撮影部３３により撮影されるファインダー画像より解像度が詳細である。
【００３２】
このような携帯電話機２は、遠隔操作のためにリモコンが設けられたカメラ付き携帯電話機より製造コストが小さく好ましい。
【００３３】
本発明による撮影方法の実施の形態は、携帯電話機２により実行される。携帯電話機２の動作モードは、手動シャッターモードと自動シャッターモードとを含んでいる。携帯電話機２は、ユーザの操作により、手動シャッターモードと自動シャッターモードとが切り換わる。
【００３４】
携帯電話機２は、初期的に、キーボード６がユーザに操作されて、時間Ｎ秒（たとえば、２秒）と回数Ｌ回（たとえば、５回）と時間Ｍ秒（たとえば、１０秒）とが設定される。携帯電話機２は、手動シャッターモードで、シャッタを押下されるときに、カメラ１に対向する被写体の画像を撮影し、その画像を第３画像２３としてメモリ１７に記録する。
【００３５】
図４は、自動シャッターモードでの携帯電話機２の動作を示している。携帯電話機２は、ユーザの操作により自動シャッターモードに切り換えられると、まず、カメラ１を用いてその被写体のファインダー画像のモニタリングを開始し、そのファインダー画像をディスプレイ５に表示する（ステップＳ１）。すなわち、携帯電話機２は、カメラ１に対向する被写体の像焦点がＣＣＤの感光面上に合致するようにレンズを駆動して、被写体のファインダー画像を撮影する。携帯電話機２は、そのファインダー画像の一部分を第１画像２１としてメモリ１７に記録し、レンズの位置をメモリ１７に記録する（ステップＳ２）。携帯電話機２は、Ｎ秒間待機した後に（ステップＳ３）、繰り返してファインダー画像の一部分を第２画像２２としてメモリ１７に記録し、レンズの位置をメモリ１７に記録する。
【００３６】
携帯電話機２は、第１画像２１が撮影されたときのレンズの位置と第２画像２２が撮影されたときのレンズの位置とを比較し、第１画像２１と第２画像２２とを比較する（ステップＳ５）。携帯電話機２は、第１画像２１が撮影されたときのレンズの位置と第２画像２２が撮影されたときのレンズの位置とが一致ないときに、または、第１画像２１と第２画像２２とが一致しないときに（ステップＳ５、ＮＯ）、このように一致しない回数がＬ回目であるかどうかを判別する（ステップＳ６）。
【００３７】
携帯電話機２は、一致しない回数がＬ回未満であるときに（ステップＳ６、ＮＯ）、メモリ１７に記録されている第１画像２１と第２画像２２とを置き換え（ステップＳ７）、再度ステップＳ３に戻ってＮ秒間待機して（ステップＳ３）被写体の画像を撮影する（ステップＳ４）。
【００３８】
携帯電話機２は、一致しない回数がＬ回目であるときに（ステップＳ６、ＹＥＳ）、その判別された時刻からカウントダウンを開始する（ステップＳ８）。携帯電話機２は、その時刻からＭ秒経過した後に（ステップＳ９）、被写体の画像を撮影し、その画像を第３画像２３としてメモリ１７に記録する（ステップＳ１０）。携帯電話機２は、第３画像２３を記録した後に、第１画像２１と第２画像２２とをメモリ１７から消去する（ステップＳ１１）。
【００３９】
携帯電話機２は、第１画像２１が撮影されたときのレンズの位置と第２画像２２が撮影されたときのレンズの位置とが一致し、かつ、第１画像２１と第２画像２２とが一致するときに（ステップＳ５、ＹＥＳ）、被写体の画像を撮影し、その画像を第３画像２３としてメモリ１７に記録する（ステップＳ１０）。携帯電話機２は、第３画像２３を記録した後に、第１画像２１と第２画像２２とをメモリ１７から消去する（ステップＳ１１）。
【００４０】
図５は、携帯電話機２を用いて撮影される被写体を示している。その被写体は、携帯電話機２を操作するユーザであるときに、携帯電話機２を操作して自動シャッターモードに切り換え、撮影されたい所望の場所に移動する。すなわち、ユーザは、最初にカメラ１から距離５４だけ離れた位置で携帯電話機２を操作し、所望の場所に移動を開始し、Ｎ秒後にカメラ１から距離５５だけ離れた位置を通過し、さらにＮ秒後にカメラ１から距離５６だけ離れた所望の場所に着いて立ち止まり、ポーズをとる。たとえば、携帯電話機２は、最初にカメラ１から距離５４だけ離れた被写体５１の画像を撮影し、Ｎ秒後にカメラ１から距離５５だけ離れた被写体５２の画像を撮影し、さらにＮ秒後にカメラ１から距離５６だけ離れた被写体５３の画像を撮影し、さらにＮ秒後にカメラ１から距離５６だけ離れた被写体５３の画像を撮影する。このとき、携帯電話機２は、移動する途中の被写体５１と被写体５２とを撮影しないで、ユーザの所望の位置に着いた被写体５３をより確実に撮影することができる。
【００４１】
図６は、携帯電話機２を用いて撮影される被写体のファインダー画像を示している。そのファインダー画像６１は、比較対象領域６２を有している。比較対象領域６２は、ファインダー画像６１より面積が小さく、ファインダー画像６１の概ね中央に配置されている。携帯電話機２は、ファインダー画像６１の比較対象領域６２Ｎ秒毎に第１画像２１または第２画像２２としてメモリ１７に記録する。
【００４２】
その被写体は、人であるときに、所望の場所に移動した後にポーズを変えて、撮影されたい所望のポーズで静止する。たとえば、携帯電話機２は、最初に図６に示されているようなファインダー画像６１を撮影し、Ｎ秒後に図７に示されているようなファインダー画像６３を撮影し、さらにＮ秒後に図８に示されているようなファインダー画像６５を撮影し、さらにＮ秒後に図９に示されているようなファインダー画像６７を撮影し、さらにＮ秒後に図１０に示されているようなファインダー画像６９を撮影する。
【００４３】
このとき、携帯電話機２は、ファインダー画像６３の比較対象領域６４がファインダー画像６１の比較対象領域６２に一致していないために、ファインダー画像６３が撮影された直後に被写体の画像が撮影されない。携帯電話機２は、ファインダー画像６５の比較対象領域６６がファインダー画像６３の比較対象領域６４に一致していないために、ファインダー画像６３が撮影された直後に被写体の画像が撮影されない。携帯電話機２は、ファインダー画像６７の比較対象領域６８がファインダー画像６５の比較対象領域６６に一致していないために、ファインダー画像６３が撮影された直後に被写体の画像が撮影されない。携帯電話機２は、ファインダー画像６９の比較対象領域７０がファインダー画像６７の比較対象領域６８に概ね一致しているために、ファインダー画像６３が撮影された直後に被写体の画像が撮影される。このため、携帯電話機２は、所望のポーズをとる被写体をより確実に撮影することができる。
【００４４】
第１画像２１と第２画像との解像度が第３画像２３の解像度より粗いことは、第１画像２１と第２画像との解像度が第３画像２３の解像度と等しいときより、第１画像２１と第２画像２２とを比較する画像処理を実行するときのＣＰＵ１６の負担が軽減され好ましい。なお、ＣＰＵ１６の負担は軽減されないが、第１画像２１と第２画像との解像度と第３画像２３の解像度とを等しくすることもできる。
【００４５】
比較対象領域の面積がファインダー画像の面積より小さいことは、比較対象領域の面積とファインダー画像の面積とが等しいときより、第１画像２１と第２画像２２とを比較する画像処理を実行するときのＣＰＵ１６の負担が軽減され好ましい。なお、ＣＰＵ１６の負担は軽減されないが、比較対象領域の面積とファインダー画像の面積とを等しくすることもできる。
【００４６】
本発明による撮影方法の実施の他の形態は、既述の実施の形態におけるステップＳ５の処理が他の処理に置換されている。すなわち、携帯電話機２は、ステップＳ５で、第１画像２１が撮影されたときのレンズの位置と第２画像２２が撮影されたときのレンズの位置とを比較し、第１画像２１と第２画像２２とを比較しない。このとき、携帯電話機２は、第１画像２１が撮影されたときのレンズの位置と第２画像２２が撮影されたときのレンズの位置とが一致するときに、被写体の画像を撮影し、その画像を第３画像２３としてメモリ１７に記録する。
【００４７】
このような撮影方法によれば、携帯電話機２は、第１画像２１と第２画像２２とを比較する画像処理の必要がない。このため、携帯電話機２は、移動する途中の被写体を撮影しないで、所望の位置に着いた被写体をより確実に撮影することができ、かつ、ＣＰＵ１６の負担を軽減することができる。
【図面の簡単な説明】
【００４８】
【図１】図１は、本発明によるカメラの実施の形態を示す斜視図であり、図１（ａ）は、そのカメラが適用される携帯電話機の背面を示す斜視図であり、図１（ｂ）は、そのカメラが適用される携帯電話機の正面を示す斜視図である。
【図２】図２は、携帯電話機を示すブロック図である。
【図３】図３は、コンピュータプログラムを示すブロック図である。
【図４】図４は、自動シャッターモードでの携帯電話機の動作を示すフローチャートである。
【図５】図５は、被写体を示す図である。
【図６】図６は、被写体の画像を示す図である。
【図７】図７は、被写体の画像を示す図である。
【図８】図８は、被写体の画像を示す図である。
【図９】図９は、被写体の画像を示す図である。
【図１０】図１０は、被写体の画像を示す図である。
【符号の説明】
【００４９】
１  ：カメラ
２  ：携帯電話機
３  ：第１筐体
４  ：第２筐体
５  ：ディスプレイ
６  ：キーボード
１１：無線部
１２：ベースバンド部
１３：音声処理部
１４：スピーカ
１５：バイブレータ
１６：ＣＰＵ
１７：メモリ
２１：第１画像
２２：第２画像
２３：第３画像
２４：コンピュータプログラム
３１：設定部
３２：オートフォーカス部
３３：仮撮影部
３４：焦点比較部
３５：仮画像比較部
３６：タイマー部
３７：撮影部
５１：被写体
５２：被写体
５３：被写体
５４：距離
５５：距離
５６：距離
６１：ファインダー画像
６２：比較対象領域
６３：ファインダー画像
６４：比較対象領域
６５：ファインダー画像
６６：比較対象領域
６７：ファインダー画像
６８：比較対象領域
６９：ファインダー画像
７０：比較対象領域
【図１】
2006017823.tif 000003
【図２】
2006017823.tif 000004
【図３】
2006017823.tif 000005
【図４】
2006017823.tif 000006
【図５】
2006017823.tif 000007
【図６】
2006017823.tif 000008
【図７】
2006017823.tif 000009
【図８】
2006017823.tif 000010
【図９】
2006017823.tif 000011
【図１０】
2006017823.tif 000012